(57)【特許請求の範囲】
【請求項１】
仮とじ本、雑誌、カタログ等のような印刷物の自動断裁用断裁機であって、それぞれプレス部材（３、３８）に付設されている共に昇降可能なカッター（２、６）と、第１及び第２断裁ステーション（Ａ、Ｂ）と、第１断裁ステーション（Ａ）から第２断裁ステーション（Ｂ）へ印刷物（２１、２１ '）を継送するための搬送手段（７）とを備え、両断裁ステーション（Ａ、Ｂ）が、背を前にして供給される印刷物（２１、２１ '）用の調整可能なストッパ（４０、４１）と、小口断裁又は天−及び地断裁用の前記カッタ（２、６、６ '）の少なくとも１つとを有しかつ搬送方向（５）に互いに間隔をおいて配設されている、前記断裁機において、
搬送手段（７）の、断裁ステーション（Ａ、Ｂ）に付設されたストッパ（４０、４１）の間の間隔によって形成された搬送区間が変更可能に形成され、かつ天−及び地断裁用の印刷物（２１、２１ '）の搬送路に沿って特定された断裁位置が搬送方向（５）において変更可能に形成されていることを特徴とする前記断裁機。
【請求項２】
天−及び地断裁用に特定され、印刷物（２１、２１ '）の搬送路に向かい合って配設されたカッター（６、６ '）が、他の長さのカッター（６、６ '）に対して交換可能である、請求項１に記載の断裁機。
【請求項３】
天−及び地断裁用に特定されたカッター（６、６ '）が、印刷物の搬送路に沿って位置を変えることが可能である、請求項１又は２に記載の断裁機。
【請求項４】
天−及び地断裁用に設けられたカッター（６、６ '）の調整可能な固定のために、印刷物（２１、２１ '）の搬送路に沿ってカッター支持体（７５）が配設されており、カッター支持体は、小口断裁用のカッター（２）に対して不変の又は可変の距離を有する、請求項３に記載の断裁機。
【請求項５】
ストッパ（４０、４１）の間の搬送手段（７）によってそのつど搬送が行われる搬送路程が、ストッパ（４０、４１）の間の間隔よりも大きい、請求項１から４までのうちのいずれか一に記載の断裁機。
【請求項６】
断裁ステーション（Ａ、Ｂ）のストッパー（４０，４１）の間の間隔（Ｚ，Ｙ，Ｘ）に適合するために、走行するベルトから形成される搬送手段（７）の駆動装置が、交換可能な駆動ローラ（１４、１５）を有する、請求項１から５までのうちのいずれか一に記載の断裁機。
【請求項７】
搬送手段（７）が、上部及び下部ベルト（８、９）を、そして上部及び下部ベルトがそれぞれ１つの交換可能な駆動ローラ（１４、１５）を有する、請求項１から６までのうちのいずれか一に記載の断裁機。
【請求項８】
カッター（２、６、６ '）のストロークのために、クランクディスク（６１）が設けられ、そしてクランクディスクは、前記搬送手段（７）の駆動のために回転するスライダクランク（５２）と結合している、請求項１から６までのうちのいずれか一に記載の断裁機。
【請求項９】
スライダクランク（５２）が上部及び下部ベルト（８、９）が加速されかつ減速されるように形成されている請求項８に記載の断裁機。
【発明の詳細な説明】
【０００１】
【発明の属する技術分野】
本発明は、仮とじ本、雑誌、カタログ等のような印刷物の自動断裁用断裁機であって、それぞれプレス部材に付設されている共に昇降可能なカッターと、第１及び第２断裁ステーションと、第１断裁ステーションから第２断裁ステーションへ仮とじ本等を継送するための搬送手段とを備え、両断裁ステーションは、背を前にして供給される印刷物用の調整可能なストッパと、小口断裁又は天−及び地断裁用の前記カッタの少なくとも１つとを有しかつ搬送方向に互いに間隔をおいて配設されている、前記断裁機械に関する。
【０００２】
【従来の技術】
そのような断裁機は、ずっと以前から知られておりかつなかでも仮とじ本、雑誌又は書籍の製造用の収集綴じ又は他の結合方法と共に使用される。
【０００３】
本出願人の公知の断裁機は、いわゆる三方断裁機として形成されている。第１断裁ステーションに対して第１のカッターによって印刷物の搬送方向に対して横に小口断裁が実施され、即ち開いた側が端部寸法に裁断される。第２断裁ステーションにおいて２つの向かい合ったカッターによって印刷物に天−及び地断裁が実施される。天−及び地断裁と共に追加の中間断裁も可能である。一括して、カッターの共通の断裁ストロークによって、天−及び地断裁で２つの印刷物が断裁され、その際案内の追加の中間断裁の際に簡単のために、天−及び地断裁の前に小口断裁が実施される。各断裁ステーションは、ストッパを有しかつ断裁機の断裁ステーションの間で搬送装置は上部及び下部ベルトを備える。類似の断裁機は、スイス国特許出願第３４０４７９号明細書及び５３１４０１号に開示されている。
【０００４】
そのような断裁機の本質的な要請は、できる限り高い製造速度又は製造能率にある。これは特に印刷物の判（サイズ）及び厚さ又は印刷物の重量及び紙の特性に影響される。薄く安定な印刷物は、高速度で処理され得る。厚く重くかつ膨らみのある印刷物は、減少した速度で処理される。達成可能な製造速度は、実質的に搬送方向における印刷物の幅又は両断裁ステーションの間の間隔又はこれらの間に位置する搬送区間の長さによって影響され、その際印刷物の小口又は開いた側は、断裁ステーションの搬送方向に対して横に配設されたカッターによって、また、これに対して天−及び地縁は、印刷物の搬送方向に向けられ、向かい合っている次の断裁ステーションのカッターによって同時に断裁される。その際印刷物のそれぞれ安定した背かがりテープ又は背は、小口断裁が所定の間隔で行われるための参照縁又は基準縁を形成する。即ち、印刷物は、背又は背かがりテープによって前方に相応した断裁ステーションに付設されたストッパに対して搬送される。その際天−及び地断裁のために特定されたカッターは後方又は前方走行する印刷物に不所望の断裁又はさもなければ損傷を加えることが問題とされる。
【０００５】
【発明が解決しようとする課題】
本発明の課題は、前記種類の断裁ステーションを、判（紙サイズ）に関して最適の製造速度を行うように構成することである。
【０００６】
【課題を解決するための手段】
本発明の課題は、前記の種類の断裁ステーションでは、搬送手段の、断裁ステーションに付設されたストッパの間の間隔によって形成された搬送区間が変更可能に形成され、かつ天−及び地断裁用の印刷物の搬送路に沿って特定された断裁位置が搬送方向において変更可能に形成されていることによって解決される。
【０００７】
それによって本発明による断裁ステーションでは、少なくとも２つの判領域の間の変換が可能でありかつ２つの断裁ステーションに付設されたストッパーの間の間隔は、印刷物の処理されるべき判に最適に適合されることができる。
【０００８】
断裁ステーションの不変の間隔を備えた公知の断裁機とは異なり、所定の印刷物用の本発明による断裁機では、断裁ステーションに付設されたストッパーの間の間隔は減少され得る。この減少は、印刷物の速度の相応した増大を可能にする。判適合は、断裁ステーションの間の印刷物の遅延及び加速の最適化を可能にする。処理の困難な印刷物、例えば非常に薄く、敏感かつ軽量で滑る印刷物は、最適に加速されかつ減速されることができる。このために断裁機におけるきれいな取扱が可能である。
【０００９】
続いて本発明を明細書に詳しく記載されてない全ての詳細が参照される図面を参照して実施例に基づいて詳しく説明する。
【００１０】
【実施例】
図１（ａ）〜（ｃ）は、２つの断裁ステーションＡ、Ｂを備えた断裁機１を図式的に示し、Ａは、背かがりテープを前にして矢印方向５に搬送される印刷物２１の開いた側の小口断裁の実施のために、そしてＢは、天−及び地断裁のために設けられている。図１（ａ）は、最小幅の判領域から成る印刷物２１を、そしてこの判領域からそれぞれ最狭印刷物Ｂｚｍｉｎ及び最広印刷物Ｂｚｍａｘを示す。図は、天−及び地で同時に裁断されて出てゆく印刷物２１の後端で実施される小口裁断を示し、印刷物２１は、前もって断裁ステーションＡで小口を裁断される。印刷物２１は、周期的に断裁ステーションＡ、Ｂに供給されかつこのタイミングで断裁ステーションＡでカッター２によって小口を、そして断裁ステーションＢにおいて向かい合って位置して昇降するカッター６、６ 'によって天−及び地裁断される。ストッパ４０、４１は、参照位置又は基準位置及び断裁位置において印刷物２１を整列させかつその間隔Ｚは、小口を裁断された印刷物２１の幅又は最適な製造効率に適合可能である。このためにストッパ４０、４１は、移動可能に形成されており、その結果ストッパ４０、４１は、印刷物２１の裁断後、後で更に記載する搬送手段による継送のために運転除外位置にずらされ、例えば一点鎖線で表された搬送平面７４の下にずらされる。縁の断裁の際に、印刷物２１は断裁領域で、静止の対向カッターを形成するプレス部材３上に位置する。印刷物２１の搬送路に沿って、印刷物２１の天−及び地縁の断裁領域の両側に小口断裁のために特定された間隔をおいたカッター支持体７５が位置し、カッター支持体には天−及び地断裁のためのそれぞれ１つのカッター６、６ 'が調整可能に固定されている。カッター支持体７５へのカッター６、６ 'の調整可能性の目的は、図１（ａ）と同様な過程が大きな判領域の印刷物２１で実施される、図１（ｂ）によって表されている。ストッパ４０、４１の間隔Ｙ、カッター６、６ 'の位置並びにその長さは、印刷物２１への製造効率の最適化のために適合され、即ち、天−及び地断裁のために長いカッター６、６ 'が使用され、長いカッター６、６ 'は、流動下流方向においてカッター支持体７５で、２つの印刷物２１の同時の断裁の際に障害とならないようにずらされる。図１（ｃ）には最も幅の広い印刷物２１の天−及び地断裁が表されており、その際ストッパ４０、４１は、最大間隔を有し又は最大の搬送区間を形成する。このために最も長いカッター６、６ 'がカッター支持体７５の最も離れた位置で使用される。
【００１１】
図２は、公知の収集綴機７０によって印刷物２１が矢印５の方向に供給される断裁機を示す。これらの印刷物２１は、例えば仮とじ本、カタログ、雑誌又は他の紙製品である。断裁機１において印刷物２１は搬送装置７によって第１断裁ステーションＡに供給される。カッター２によって印刷物２１はこの第１ステーションＡで小口を断裁される。続いて印刷物は搬送装置７によって第２断裁ステーションＢに継送される。第２断裁ステーションにおいてここでは１つのみが示されている２つのカッター６によって天−及び地断裁が実施される。続いて３つの側を断裁された印刷物２１が次の処理のために搬送装置７によって継送される。搬送装置７は上部ベルト８及び下部ベルト９を有し、これらによって印刷物２１は、個々に背ストッパ４０、４１に向かって案内される。
【００１２】
両断裁ステーションＡ、Ｂの間の断裁機の転向のために次の３つの作業工程が設けられている。第１の作業工程において相応した長いカッター６が内蔵されている。天−及び地断裁用のカッター６は、交換可能である。選択的にこれらの両カッター６は、搬送方向に調整されることができる。第２作業ステップにおいて搬送装置７は位置を変えられる。簡単な方法で例えば駆動ベルト用の相異なる大きさの駆動ローラ１４及び１５（図６）の交換によって行われる。第３ステップにおいて専らストッパ４０、４１間隔はストッパ４０及び４１の移動によって適合される。
【００１３】
カッター２及び６は、一定のストロークによって垂直に昇降可能である。このためにこれらのカッター２及び６は、図３に図式的に示されたヨーク２９に取りつけられ、ヨークはクランク６７を介してクランク伝動装置６１と連結されている。図４は、これらのクランク伝動装置６１の垂直断面図である。クランク伝動装置は、架台に固定された軸６２上に回転可能に支承されている平歯車６５を備えたクランクディスク６４を有する。
【００１４】
ここでは図示しないモータによって、クランクディスク６４は時計方向に回転される。クランクディスク６４とピボット６６が固着され、ピボットは、クランク６７の案内６８中に嵌入しかつクランクをストロークＣで昇降させ、その際カッター２及び６の断裁運動は、図示の実施例では下方に行われるが、下から上へも実施されることができる。このことは、少なくともプレス部材が搬送平面７４の向かい合った側に置かれなければならない。この運動は、ヨーク６９上かつ結局カッター２及び６上に伝達される。既に述べたように、カッター６はヨーク６９に旋回可能に固定されている。図３に示された断裁機械１では、カッター６ 'は、図２におけるカッター６よりも長い。相応して図３には、両ストロークの間の間隔は図２における相応する間隔よりも大きい。図２においてこの間隔は例えば３０５ｍｍ及び図３においては３５５ｍｍである。カッター６、６ 'の長さは、勿論相応した印刷物２１又は２１ 'が反対側で阻害されることなしに、天−及び地断裁されることができるように設計されている。長い印刷物２１ 'には相応した長いカッター６ 'が対応する。カッター６又は６ 'が水平にヨーク６９に固定されている実施形態も可能である。カッター２及び６並びに６ 'は、それぞれプレス部材及びカッター要素４を有する。各カッター要素４に対して機械架台７１に対抗カッター３６（図６）又は７２（図２）が設けられている。図示の実施形態では、先ず小口断裁が行われる。しかし先ず天−及び地断裁がそして後に第２断裁ステーションで小口断裁が実施される実施形態も可能である。いかなる場合でも、中間断裁、いわゆる二重利用も可能である。
【００１５】
搬送装置７のベルト８及び９の駆動は、歯付ベルトによってベルト駆動装置１２及び１３の駆動輪１８及び１９と連結されているスライダクランク５２を介して行われる。スライダクランク５２は、歯付プーリー５４を有し、歯付プーリーは正面の歯部５５を有しかつ軸受によって架台に固定して回転可能に支承されている。歯付プーリー５４は、クランクディスク６４と噛み合いかつクランクディスク６４によって駆動される。図５に示すように、歯付プーリー５４は直線案内５６を有し、直線案内にはホィール５８のローラ５７が移動可能に案内されている。ホィール５８は架台に固定の軸線６０上で回転しかつ歯付ベルト２０と係合する歯部５９を有する。回転するクランクディスク５２の偏心及びクランク半径は、一定である。このクランクディスク５２は、印刷物２１又は２１ 'の継送のために好適な方法で両ベルト８及び９を加速しかつ減速する。歯付ベルト２０は図６に示された歯付プーリー１８及び１９を介して軸１６及び１７を駆動する。判領域の変換のために、駆動ローラ１４及び１５は交換可能である。図３にはローラ１４及び１５は図３におけるローラよりも小さい。相応した図３における搬送路は大きい。印刷物２１の搬送のために、上部ベルト８のための駆動装置１２は予め設定された不変のストロークをもって印刷物２１から上昇可能である。このためにストローク装置２４が設けられている、ストローク装置は平行連接ロッド２５を有する。この平行連接ロッド２５が、図６によれば軸１６上に固定されているクランクディスク３５によって作動される。カムローラ３４はこのカムディスク３５に当接しかつ架台に固定された軸受３２及びスラストロッド３１を介して平行連接ロッド２５と連結しているカムレバ３３を作動させる。この連接ロッドは、二重矢印３０の方向に往復運動されかつ相応して垂直方向に架台に固定のジョイント２８及び２９を介して支持体２２を移動させ、支持体には上部ベルト８が支承されている。上部ベルト８は、印刷物２１の到達の直前に上昇されかつそれによってこの印刷物２１の搬送が強制的に中断される。ストッパー４０と４１における印刷物２１の整列は、それ自体公知の方法で搬送装置７のオーバーストロークによって行われる。
【００１６】
ストッパ４０、４１は、個々の調整可能に支持体４２に固定されておりかつ垂直に昇降運動され得る。相応したストロークは、２つの架台に固定のジョイント４６及び連接ロッド４７を有する平行連接ロッド４３を介して行われる。平行連接ロッド４３は、互いに間隔をおいて配設されている２つのジョイント４５を介して支持体４２と連結している。二アームのレバ４８は、架台に固定のジョイント４９に支承されておりかつロッド５０によって平行連接ロッド４３と枢支されている。二腕のレバ４８は、ジョイント４９のまわりに、制御カム７３（図３）と当接しているローラ５１によって旋回される。回転するスライダクランク５２は、それによって所定のストロークで二腕ムのレバ４８を旋回させかつそれによって両ストローク上に相応した垂直ストロークを作用する。図２及び図３において、ストロークは、印刷物２１又は２１ 'がストロークに当接する上方位置で示されている。継送のためにこれらのストッパ４０、４１は下方へ動される。このストローク運動の実施のために、それ自体他の駆動装置が可能である。間隔の変更のためのストッパ４０、４１の水平の移動可能性及び断裁領域の変更が本質的である。
【００１７】
１つの判領域から他の判領域への変換のために、それによって両ストッパ４０、４１のストッパ間隔が適合される。更に印刷物２１又は２１ 'の搬送のための駆動ローラ１４及び２５が交換される。このために相応した長いカッター６又は、６ 'が内蔵される。前記他の機能は、変えられる必要はない。このために特にカッター６、６ 'のストローク、スライダクランク５２の回転、上部ベルト８のストローク及びストッパ４０、４１のストロークが属する。カッターストロークはそれによってフ判領域とは無関係に一定である。カッターストローク及びストッパストロークも判領域とは無関係で一定である。同様に回転するスライダクランク５２の偏心及びクランク半径は一定である。
【００１８】
断裁機の制限されない変換可能性の観点においてカッター２からカッター支持体７５の間隔を小口断裁のために調整することができることは意味がある。
【００１９】
【図面の簡単な説明】
【図１】  図１は、印刷物の処理のための本発明による断裁機を図式的に示し、（ａ）、（ｂ）及び（ｃ）はそれぞれ相異なる判幅領域の印刷物を示す。
【図２】  図２は、本発明による断裁機の要部の垂直断面図である。
【図３】  図３は、断裁ステーションの間の他の間隔を有する断裁機の図１に相応する図である。
【図４】  図４は、図３のＩＶ−ＩＶ線に沿う断面図である。
【図５】  図５は、図３のＶ−Ｖ線に沿う断面図である。
【図６】  図６は、図３のＶＩ−ＶＩに沿う断面図である。
【符号の説明】
２    カッター
３    プレス部材
５    搬送方向
６    カッター
６ '    カッター
７    搬送手段
２１    印刷物
２１ '    印刷物
３８    プレス部材
４０    ストッパ
４０ '    ストッパ
Ａ    断裁ステーション
Ｂ    断裁ステーション
【図１】
0004383573.tif 000002
【図２】
0004383573.tif 000003
【図３】
0004383573.tif 000004
【図４】
0004383573.tif 000005
【図５】
0004383573.tif 000006
【図６】
0004383573.tif 000007